(57)【特許請求の範囲】
【請求項１】
ディスクがディスクローディング装置筐体内に挿入され、ターンテーブル上にローディングされ、且つクランパによってターンテーブル上にクランプされ、ディスクの再生が終了し、クランプが解除されたのちに、ディスクが上記ディスクローディング装置筐体の外に排出される構成であり、前記クランパが、ディスクに押し当るクランプ部と、該クランプ部から外側に拡がるフランジ部とを有する形状である構成のディスクローディング装置において、
内側に張り出ている内側フランジ部を有し、前記ディスクローディング装置筐体のカバー部材の内面に取り付けてあり、前記クランパのフランジ部を支持しているクランパ支持部材と、
楔形状の先端部を有し、前記ディスクローディング装置筐体のカバー部材の内面に、該カバー部材と平行に移動可能に支持されており、楔形状の先端部から前記支持部材の内側フランジ部とクランパのフランジ部との間に入り込んで、前記クランパのフランジ部を前記支持部材の内側フランジ部に対して押し上げ、前記クランパを前記ターンテーブルから離す板状のクランプ解除部材と、
ディスクの再生が終了した後に、前記クランプ解除部材を前記支持部材の内側フランジ部とクランパのフランジ部との間に入り込ませるべく、前記クランプ解除部材を該カバー部材と平行に移動させるクランプ解除部材移動機構とを有する構成としたことを特徴とするディスクローディング装置。
【発明の詳細な説明】
【０００１】
【発明の属する技術分野】
本発明はディスクローディング装置に係り、特に、ディスクが水平の姿勢でディスクローディング装置筐体内に挿入され、ターンテーブル上にローディングされクランパによってターンテーブル上にクランプされるようにしたディスクローディング装置に関する。
【０００２】
【従来の技術】
従来より、操作者がケースより取り出した裸のディスクを水平の姿勢で装置のフロントベゼルのディスク挿入用スロットに挿入する操作を行うと、ディスクが自動的に引き込まれ、ターンテーブル・光学ピックアップユニットが上昇し、ディスクがターンテーブル上にローディングされ、続いてクランパによってターンテーブル上にクランプされ、続いて再生され、再生終了後には、ディスクがディスク挿入用スロットの外に突き出すまで排出される構成のディスクローディング装置がある。この種のディスクローディング装置は、例えば携帯性を良くするために、薄型であることが求められている。
【０００３】
クランパによってディスクをターンテーブル上にクランプし、クランパをターンテーブルから離してディスクのクランプを解除するクランプ解除機構は、アームを、ディスクローディング装置の天板の下面側に、垂直の面内で回動するように設け、このアームのうちターンテーブルに対向する場所にクランパを支持し、アームが垂直の面内で回動して、ディスクをターンテーブルから離す構成である。
【０００４】
【発明が解決しようとする課題】
従来のディスクローディング装置は、アームの回動する方向がディスクローディング装置の天板に対して垂直の向きであるため、クランプ解除機構が立体的となり、よって、ディスクローディング装置の薄型化に好ましくなかった。
【０００５】
そこで、本発明は、上記課題を解決したディスクローディング装置を提供することを目的とする。
【０００６】
【課題を解決するための手段】
上記課題を解決するために、請求項１の発明は、ディスクがディスクローディング装置筐体内に挿入され、ターンテーブル上にローディングされ、且つクランパによってターンテーブル上にクランプされ、ディスクの再生が終了し、クランプが解除されたのちに、ディスクが上記ディスクローディング装置筐体の外に排出される構成であり、前記クランパが、ディスクに押し当るクランプ部と、該クランプ部から外側に拡がるフランジ部とを有する形状である構成のディスクローディング装置において、
内側に張り出ている内側フランジ部を有し、前記ディスクローディング装置筐体のカバー部材の内面に取り付けてあり、前記クランパのフランジ部を支持しているクランパ支持部材と、
楔形状の先端部を有し、前記ディスクローディング装置筐体のカバー部材の内面に、該カバー部材と平行に移動可能に支持されており、楔形状の先端部から前記支持部材の内側フランジ部とクランパのフランジ部との間に入り込んで、前記クランパのフランジ部を前記支持部材の内側フランジ部に対して押し上げ、前記クランパを前記ターンテーブルから離す板状のクランプ解除部材と、
ディスクの再生が終了した後に、前記クランプ解除部材を前記支持部材の内側フランジ部とクランパのフランジ部との間に入り込ませるべく、前記クランプ解除部材を該カバー部材と平行に移動させるクランプ解除部材移動機構とを有する構成としたものである。
【０００７】
【発明の実施の形態】
図１は本発明の一実施例になるディスクローディング装置１０をその内部を透視して示し、図２は図１のディスクローディング装置１０を分解して示す。図３はベース部材に取り付けてある機構を示す平面図、図４はカバー部材の下面に取り付けてある機構を示す平面図である。図５は図１のディスクローディング装置１０の内部を透視して示す正面図、図６は側面図、図７は背面図である。図５、図６、図７及び図８（Ａ）、（Ｂ）及び図９（Ａ）、（Ｂ）は、高さを誇張して示してある。また、各図は、ディスク１１を挿入する前の状態を示す。
【０００８】
各図中、Ｘ１、Ｘ２はディスクローディング装置１０の幅方向、Ｙ１、Ｙ２はディスクローディング装置１０の奥行き方向、Ｚ１、Ｚ２はディスクローディング装置１０の高さ（厚さ）方向である。ＣＬはディスクローディング装置１０のＸ１、Ｘ２方向の中心をＹ方向に延在する中心線である。
【０００９】
説明の便宜上、先ずディスクローディング装置１０の概略の動作を説明する。
図８（Ａ）及び図９（Ａ）は、ディスクローディング途中の状態を示し、図８（Ｂ）及び図９（Ｂ）は、ディスクローディングを完了した状態を示す。
【００１０】
ディスクローディング装置１０は、操作者がケースより取り出した裸のディスク１１をその記録面１１ａを下向きとした水平の姿勢でフロントベゼル１２のディスク挿入用スロット１３内に挿入する操作を行うことによって、図８（Ａ）及び図９（Ａ）に示す状態となり、続いて、概略以下のように動作する。
【００１１】
・第２のアーム（押し込みアーム）８３がディスク１１を押し込む。
【００１２】
・ディスクガイド・支持部材９０，９１が押し込まれるディスク１１を案内すると共に水平に支える。
【００１３】
・ターンテーブル１４が上昇して、ターンテーブル１４がディスク１１を支持する。
【００１４】
・クランパ１５が解除され、ディスク１１がクランプされて、図８（Ｂ）及び図９（Ｂ）に示す状態となって、ターンテーブル１４上にローディングされる。
・ターンテーブル用モータ１６が始動し、ディスク１１が回転され、光ピックアップ１７によって再生される。
【００１５】
操作者がイジェクト操作を行うと、ディスクローディング装置１０は、概略以下のように動作する。
【００１６】
・クランパ１５が上動されて、ディスク１１のクランプが解除される。
【００１７】
・ターンテーブル１４が下降して、ターンテーブル１４がディスク１１の中心孔１１ｂから抜け出る。
【００１８】
・ディスクガイド・支持部材９０，９１がディスク１１を水平に支持する。
【００１９】
・第１のアーム（押し出しアーム）８０がディスク１１をディスク挿入用スロット１３の外に突き出すまで押し出す。
【００２０】
・フック部材１４０がディスク１１の中心孔１１ｂを引っ掛けて落ちないように支持する。ディスクローディング装置１０は、図８（Ａ）及び図９（Ａ）に示す状態となる。
【００２１】
次に、ディスクローディング装置１０の構造について説明する。
【００２２】
ディスクローディング装置１０は、筐体２０の内部に、モータ２１、減速ギヤ機構２２、プレート機構２３、ディスク押し込み・押し出し機構２４、ディスク支持・ガイド機構２５、ターンテーブル・光学ピックアップユニット２６、ターンテーブル・光学ピックアップユニット昇降機構２７、クランプ機構２８、クランプ解除機構２９、ディスク引っ掛け支持機構３０等が組み込まれている構成である。
【００２３】
以下、上記の各機構について説明する。
【００２４】
〔筐体２０〕
図１及び図２に示すように、筐体２０は、ベース部材４０と、カバー部材４１と、フロントベゼル１２とよりなる構造である。ベース部材４０は、底板部４０ａと背面板部４０ｂとを有する。ベース部材４０には、ターンテーブル・光学ピックアップユニット２６がＺ１、Ｚ２方向に移動するように案内するための案内溝４０ａ１、４０ｂ１、４０ｂ２が形成してある。案内溝４０ａ１は、底板部４０ａの切り起こし片４０ａ２に形成してあり、案内溝４０ｂ１、４０ｂ２は、背面板部４０ｂに形成してある。カバー部材４１は、天板部４１ａと、左右の側面板部４１ｂ、４１ｃとを有する。天板部４１ａには、受け部４１ａ１、４１ａ２が切り起こして形成してあり及び鍔付きピン４１ａ３、４１ａ４がかしめてある。これらは、ディスクガイド・支持部材を支持するためのものである。また、天板部４１ａには、クランプ解除アームを支持するための受け部４１ａ５が切り起こして形成してある。
【００２５】
図３に示すように、ベース部材４０上には、モータ２１、減速ギヤ機構２２、プレート機構２３、ディスク押し込み・押し出し機構２４、ディスク支持・ガイド機構２５、ターンテーブル・光学ピックアップユニット２６、ターンテーブル・光学ピックアップユニット昇降機構２７が取り付けてある。
【００２６】
図４に示すように、カバー部材４１には、ディスク支持・ガイド機構２５、クランパ２８、クランプ解除機構２９、ディスク引っ掛け支持機構３０が取り付けてある。
【００２７】
〔モータ２１、減速ギヤ機構２２〕
図２、図３及び図１０に示すように、モータ２１は底板部４０ａの上面に固定してある。ギヤ機構２２は、底板部４０ａの上面に設けてあり、回転の伝達の順に、ウォームギヤ５１、減速平歯車列５２、遊星ギヤ機構５３が並んでいる構成である。
【００２８】
遊星ギヤ機構５３は、軸５４に固定してあるギヤ５５と、軸５４に回転可能に支持されている太陽ギヤ５６と、ギヤ５５にかしめてあるピン５７に回転可能に支持されている遊星ギヤ５８と、軸５４の上端側に回転可能に支持されているギヤ５９とを有する。遊星ギヤ５８は太陽ギヤ５６と噛み合っている。ギヤ５９は、外歯車５９ａと内歯車５９ｂとを一体に有する。内歯車５９ｂが遊星ギヤ５８と噛み合っている。ギヤ５５が遊星ギヤ機構５３の腕として機能する。軸５４の下端部が底板部４０ａの穴に回転可能に嵌合してある。外歯車５９ａは、減速平歯車列５２の平歯車列５２ａと噛み合っている。
【００２９】
ギヤ５５は、後述する第１のスライドプレート７０のラック部７０ｂと噛み合っている。太陽ギヤ５６は、後述するローディングプレート７１のラック部７１ｂと噛み合っている。遊星ギヤ機構５３は、太陽ギヤ５６が回転を拘束された状態、又は、ギヤ５５が回転を拘束された状態となる。
【００３０】
モータ２１の回転がウォームギヤ５１→減速平歯車列５２を通して減速され、減速された回転が遊星ギヤ機構５３のギヤ５９に伝達される。ギヤ５９の回転は、内歯車５９ｂ→遊星ギヤ５８→太陽ギヤ５６と伝達される。太陽ギヤ５６が回転を拘束された状態では、遊星ギヤ５８が太陽ギヤ５６の周囲を回わって、ギヤ５５が回転される。遊星ギヤ機構５３は、遊星ギヤ機構として動作する。ギヤ５５が回転を拘束された状態では、遊星ギヤ５８の位置が停止しており、ギヤ５９の回転が内歯車５９ｂ→遊星ギヤ５８→太陽ギヤ５６と伝達され、太陽ギヤ５６が回転される。
【００３１】
図３に示すように、減速平歯車列５２にはカム６０が形成してあり、このカムによってレバー６１が揺動され、レバー６１の揺動によってスイッチＳＷ１が駆動されるように設けてある。スイッチＳＷ１がオンオフを所定回数繰り返したことが検出されると、モータ２１が停止される。
【００３２】
〔プレート機構２３〕
図２、図３及び図１１に示すように、プレート機構２３は、底板部４０ａの上面に交差した状態で配されているＸ方向に摺動する第１のスライドプレート７０とＹ方向に摺動するローディングプレート７１とよりなる。
【００３３】
第１のスライドプレート７０は、二つの長穴７０ａをピン７２に案内されてＸ１−Ｘ２方向に摺動可能に設けてある。この第１のスライドプレート７０は、ラック部７０ｂ、７０ｃを有し、ピン７０ｄがかしめてあり、且つ、上向きに折り曲げてある垂直板部７０ｅを有する。垂直板部７０ｅには斜めのスリット７０ｆが形成してある。ラック部７０ｂは、上記の遊星ギヤ機構５３のギヤ５５に噛み合っている。ラック部７０ｃ、垂直板部７０ｅ及び斜めのスリット７０ｆは、ターンテーブル・光学ピックアップユニット昇降機構２７の一部を構成する。
【００３４】
ローディングプレート７１は、三つの長穴７１ａをピン７３に案内されてＹ１−Ｙ２方向に摺動可能に設けてある。このローディングプレート７１は、ラック７１ｂ、クランク形状のスリット７１ｃ及び略Ｌ字形状のスリット７１ｄ、ラグ部７１ｅ、ピン７１ｆを有する。ラック部７１ｂは上記の遊星ギヤ機構５３の太陽ギヤ５６に噛み合っている。
【００３５】
クランク形状のスリット７１ｃは、上記の第１のスライドプレート７０のピン７０ｄが係合してある。クランク形状のスリット７１ｃは、Ｙ方向に延在するＹ方向スリット部７１ｃ１と、Ｘ方向に延在するＸ方向スリット部７１ｃ２と、Ｙ方向に延在するＹ方向スリット部７１ｃ３とよりなる構成である。Ｙ方向スリット部７１ｃ１とＸ方向スリット部７１ｃ２とＹ方向スリット部７１ｃ３とは、連続している。スリット７１ｃとピン７０ｄとによって、第１のスライドプレート７０のＸ方向摺動、ローディングプレート７１のＹ方向摺動を拘束したり、可能としたりしている。
【００３６】
略Ｌ字形状のスリット７１ｄは、Ｘ１とＹ２の間の方向に延びているスリット部７１ｄ１と、これとつながってＹ方向に延在するＹ方向スリット部７１ｄ２とよりなる。
【００３７】
略Ｌ字形状のスリット７１ｄ及びラグ部７１ｅは、ディスク押し込み・押し出し機構２４と係わり合う。ピン７１ｆは、ディスクガイド・支持機構２５と係わり合う。
【００３８】
ディスク１１を挿入する前では、図３に示すように、第１のスライドプレート７０はＸ２方向に位置しており、ローディングプレート７１はＹ２方向に位置している。
【００３９】
〔ディスク押し込み・押し出し機構２４〕
図１、図２及び図３に示すように、ディスク押し込み・押し出し機構２４は、底板部４０ａの上面であって、筐体２０のＸ２方向の側に設けてある。図１２に併せて示すように、ディスク押し込み・押し出し機構２４は、第1のアーム８０と、トーションコイルバネ８１と、オイルダンパ８２と、第２のアーム８３と、スイッチＳＷ２とよりなる。第1のアーム８０と第２のアーム８３とは、第1のアーム８０の軸部と第２のアーム８３の軸部とが近接し、第1のアーム８０の軸部がＹ１側、第２のアーム８３の軸部がＹ２側とされて配置してある。
【００４０】
第1のアーム８０は、基部に、ギヤ部８０ａ及びカム８０ｂを有し、先端の上面にピン８０ｃを有し、基部を底板部４０ａにかしめてある軸８４に回転可能に支持されており、トーションコイルバネ８１によって時計方向に回動付勢されている。第1のアーム８０は、ディスク１１が手動で挿入されたときに、ピン８０ｃに、ディスク１１の挿入方向側の周縁１１ｃが当接するように設けてある。カム８０ｂは、第1のアーム８０が反時計方向に回動されたときに、スイッチＳＷ２を作動させる。ギヤ部８０ａは、底板部４０ａに固定してあるオイルダンパ８２のギヤ８２ａと噛み合っている。
【００４１】
カム８０ｂの端部８０ｂ１がローディングプレート７１のラグ部７１ｅに当接しており、第1のアーム８０の回動位置はローディングプレート７１の位置によって決まる。
【００４２】
第２のアーム８３は、先端に上側に突き出た凸部８３ａを有し、途中の位置の下面にピン状凸部８３ｂを有し、基部を底板部４０ａにかしめてある軸８５に回転可能に支持されており、ローディングプレート７１の上側に配してある。凸部８３ａは、挿入されたディスク１１の周縁１１ｃに対向する高さにある。ピン状凸部８３ｂは、ローディングプレート７１の略Ｌ字形状のスリット７１ｄに嵌合してあり、第２のアーム８３はローディングプレート７１の摺動に応じて回動され、第２のアーム８３の回動位置はローディングプレート７１の位置によって決まる。即ち、ローディングプレート７１の位置が、第1のアーム８０及び第２のアーム８１の両方の回動位置を決定する。
【００４３】
ディスク１１を挿入する前では、図３に示すように、第1のアーム８０は略Ｘ１方向を向いており、第２のアーム８３はＹ２方向を向いている。凸部８３ａはディスク１１の挿入を妨害しない位置にあり、ピン８０ｃは挿入されるディスク１１の通路に突き出している。
【００４４】
また、第1のアーム８０及び第２のアーム８３は共にＸ―Ｙ面内で回動する。即ち、ローデング時及びアンローデング時にディスク１１が移動する面と平行な面内で回動する。よって、ディスクローディング装置１０は薄型となっている。
〔ディスク支持・ガイド機構２５〕
図１、図２、図４、図５、図６及び図１３に示すように、ディスク支持・ガイド機構２５は、Ｘ１側のディスク支持・ガイド部材９０と、Ｘ２側のディスク支持・ガイド部材９１と、ピニオン９２とを有する。
【００４５】
Ｘ１側ディスク支持・ガイド部材９０は、ディスク１１をガイドするためのＸ１側の側板部９０ａと、スリット９０ｂ１が形成してある上側の板部９０ｂと、ディスク１１を支持するための下側の板部９０ｃとよりなるコ字形状であり、上側の板部９０ｂよりＸ２方向に突き出た腕部９０ｄ、上側の板部９０ｂよりＹ１方向に突き出たラグ部９０ｅを有する。腕部９０ｄにはラック９０ｆが形成してある。
【００４６】
Ｘ２側ディスク支持・ガイド部材９１は、ディスク１１をガイドするためのＸ２側の側板部９１ａと、スリット９１ａ１が形成してある上側の板部９１ｂと、ディスク１１を支持するための下側の板部９１ｃとよりなるコ字形状であり、上側の板部９１ｂよりＸ１方向に突き出た腕部９１ｄ、上側の板部９１ｂよりＹ１方向に突き出たラグ部９１ｅを有する。腕部９１ｄにはラック９１ｆが形成してある。下側の板部９１ｃには、略Ｌ字形状のスリット９０ｇが形成してある。スリット９０ｇは、Ｘ１方向に延在するスリット部９０ｇ１と、Ｙ１方向に延在するスリット部９０ｇ２と、Ｘ１とＹ１との中間の方向に延在するスリット部９０ｇ３とよりなる。スリット部９０ｇ１、９０ｇ２、９０ｇ３は、連続している。
ディスク支持・ガイド部材９０は、スリット９０ｂ１を鍔付きピン４１ａ４に支持され、ラグ部９０ｅを受け部４１ａ２に支持されて、天板部４１ａの下面にＸ方向に移動可能に支持されている。ディスク支持・ガイド部材９１も、同じく、スリット９１ｂ１を鍔付きピン４１ａ３に支持され、ラグ部９１ｅを受け部４１ａ１に支持されて、天板部４１ａの下面にＸ方向に移動可能に支持されている。
【００４７】
左右のディスク支持・ガイド部材９０、９１の下側の板部９０ｃ、９１ｃは、上側にディスクを支持するディスク支持面９０ｃ１、９１ｃ１を有する。図５に示すように、ディスク支持面９０ｃ１、９１ｃ１は、中心線ＣＬ側が最も低く、側板部９０ａ、９１ａに近づくにつれて上方に変位する傾斜した平面である。ディスク支持面９０ｃ１、９１ｃ１の傾斜角は、αである。ディスク支持面９０ｃ１、９１ｃ１が傾斜しているのは、支持するディスク１１の記録面１１ａを傷めないようにするためである。
【００４８】
また、ラック９０ｆとラック９１ｆとは対向する位置関係にあって、天板部４１ａの下面に、十字形状の部材９３によって取り付けてあるピニオン９２と噛み合っている。よって、ディスク支持・ガイド部材９０は、ディスク支持・ガイド部材９１の動きに連動して、ディスク支持・ガイド部材９１の動きの方向とは逆方向に動く。よって、ディスク支持・ガイド部材９０、９１は、連動して互いに逆方向に同じ距離移動し、Ｘ方向上中心線ＣＬに関して左右対称な関係を常に維持する。また、コイルばね９６によって、ディスク支持・ガイド部材９１がＸ１方向に付勢されている。
【００４９】
また、対向するディスク支持・ガイド部材９０、９１は、ディスク１１を受け入れる扁平な空間９５を形成する。この空間９５は、ディスク支持・ガイド部材９０、９１が互いに離れることによって、Ｘ方向に拡がって、Ｘ方向の幅が変化する。
【００５０】
〔ターンテーブル・光学ピックアップユニット２６〕
図１、図２、図５、図６及び図１４に示すように、ターンテーブル・光学ピックアップユニット２６は、扁平な形状であり、扁平な形状のハウジング１００に、きえ板状であり、ターンテーブル１４、光学ピックアップ１７、ターンテーブル用モータ１０１、光学ピックアップ移動機構１０２が組み込まれている構成である。
【００５１】
ハウジング１００のＹ２方向側の面１００ａには、ピン状突起１０３が、Ｙ２方向側の面１００ｂには、２本のピン状突起１０４，１０５が設けてある。
【００５２】
ユニット２６は、ピン状突起１０３を切り起こし片４０ａ２の案内溝４０ａ１に嵌合させて、且つピン状突起１０４，１０５を夫々背面板部４０ｂの案内溝４０ｂ１、４０ｂ２に嵌合させて、ベース部材４０の上面に、位置を定められて且つＺ１、Ｚ２方向に移動可能に支持されている。
【００５３】
〔ターンテーブル・光学ピックアップユニット昇降機構２７〕
図１、図２、図３、図７及び図１４に示すように、ターンテーブル・光学ピックアップユニット昇降機構２７は、第１のスライドプレート７０（図１１参照）と、第２のスライドプレート１１０と、連結レバー１１３とよりなり、ベース部材４０の上面に設けてある。ターンテーブル・光学ピックアップユニット２６は通常はＺ２方向に下降した位置に位置している。
【００５４】
第１のスライドプレート７０は、スリット７０ｇが切り起こし片４０ａ２に嵌合した状態にあり、斜めのスリット７０ｆが案内溝４０ａに対向している。
【００５５】
第２のスライドプレート１１０は、図７に示すように、長穴１１０ａ１、１１０ａ２、１１０ｂ１、１１０ｂ２をベース部材４０の背面板部４０ｂにかしめてあるピン１１１ａ，１１１ｂ，１１２ａ，１１２ｂに嵌合させて、背面板部４０ｂの内側に垂直の姿勢でＸ１−Ｘ２方向に摺動可能に設けてある。第２のスライドプレート１１０には、斜めのスリット１１０ｃ、１１０ｄが形成してある。斜めのスリット１１０ｃは案内溝４０ｂ１に、斜めのスリット１１０ｄは案内溝４０ｂ２に夫々対向している。斜めのスリット７０ｆと斜めのスリット１１０ｃ、１１０ｄとは、傾斜の方向が逆である。
【００５６】
第２のスライドプレート１１０は、Ｘ２方向端側に、底板部４０ａの上面に沿う水平の腕部１１０ｅを有し、この水平の腕部１１０ｅにラック部１１０ｆが形成してある。
【００５７】
また、第２のスライドプレート１１０には、クランプ解除機構２９と関係する一対のラグ１１０ｇ，１１０ｈが形成してある。
【００５８】
連結レバー１１３は、略中央の穴１１３ａを底板部４０ａにかしめられたピン１１４によって底板部４０ａの上面に回動可能に取り付けてあり、Ｙ２方向の端に第1のピニオン部１１３ｂ及びスリット１１３ｃを有し、Ｙ１方向の端に第２のピニオン部１１３ｄ及びスリット１１３ｅを有する。ピニオン部１１３ｂ、１１３ｄ及びスリット１１３ｃ、１１３ｅは、上記のピン１１４を中心とする円の円弧に沿うように形成してある。底板部４０ａの上面において、ピニオン部１１３ｂはＸ方向摺動レバー７０のラック部７０ｃと突き合わされて噛み合っており、ピニオン部１１３ｄは第２のスライドプレート１１０のラック部１１０ｆと突き合わされて噛み合っている。
【００５９】
よって、第１のスライドプレート７０と第２のスライドプレート１１０と連結レバー１１３とは、第１のスライドプレート７０がＸ２方向に摺動すると、ラック部７０ｃとピニオン部１１３ｂとを介して、連結レバー１１３が時計方向に回動され、ピニオン部１１３ｄとラック部１１０ｆとを介して、第２のスライドプレート１１０がＸ１方向に摺動し、逆に、第１のスライドプレート７０がＸ１方向に摺動すると、連結レバー１１３が反時計方向に回動されて、第２のスライドプレート１１０がＸ２方向に摺動する関係にある。
【００６０】
なお、図３に示すように、底板部４０ａにかしめてある頭付きのピン１１５，１１６がスリット１１３ｃ、１１３ｅの縁を押さえており、ピニオン部１１３ｂ、１１３ｄが底板部４０ａから浮くことを制限している。よって、ピニオン部１１３ｂとラック部７０ｃとの噛み合い、及びピニオン部１１３ｄとラック部１１０ｆとの噛み合いは確実になされる。
【００６１】
ハウジング１００のピン状突起１０３は、斜めのスリット７０ｆ及び案内溝４０ａ１に嵌合しており、ピン状突起１０４は、斜めのスリット１１０ｃ及び案内溝４０ｂ１に嵌合しており、ピン状突起１０５は、斜めのスリット１１０ｄ及び案内溝４０ｂ２に嵌合している。
【００６２】
よって、Ｘ方向摺動レバー７０がＸ２方向に摺動すると、連結レバー１１３を介して第２のスライドプレート１１０がＸ１方向に摺動し、斜めのスリット７０ｆ、１１０ｃ、１１０ｄが夫々ピン状突起１０３、１０４、１０５を押し上げて、ターンテーブル・光学ピックアップユニット２６がＺ１方向に上昇される。逆に、第１のスライドプレート７０がＸ１方向に摺動すると、連結レバー１１３を介して第２のスライドプレート１１０がＸ２方向に摺動し、斜めのスリット７０ｆ、１１０ｃ、１１０ｄが夫々ピン状突起１０３、１０４、１０５を下げて、ターンテーブル・光学ピックアップユニット２６がＺ２方向に下降される。
【００６３】
連結レバー１１３と第１のスライドプレート７０と第２のスライドプレート１１０とは底板部４０ａ上に平面的に並んでおり、重なりあってはいない。よって、光学ピックアップユニット昇降機構２７は、嵩張らず、薄型である。
【００６４】
〔クランプ機構２８〕
図４、図６、図１５、図１６（Ａ），（Ｂ）に示すように、クランプ機構２８は、クランパ１５と、クランパ支持部材１２３と、ターンテーブル１４とを有する構成である。図１６（Ａ），（Ｂ）はクランプ前の状態を示し、図２４はクランプした状態を示す。
【００６５】
クランパ１５は、図１６（Ｂ）に示すように、合成樹脂製のクランパ本体１２１の中央に円形の鉄板部材１２２が固定してある構成である。クランパ本体１２１は、ディスクに押し当たるクランプ部１２１ａと、クランプ部１２１ａから外側に拡がるフランジ部１２１ｂとを有する。クランプ部１２１ａの下面側には、上方に凹状の凹部１２１ｃが形成してある。円形の鉄板部材１２２は、凹部１２１ｃの天井部に露出している。
【００６６】
クランパ支持部材１２３は、リングの半分の形状、即ち、略Ｕ字形状を有し、内側にフランジ状に張り出ている内側フランジ部１２３ａと、外側にフランジ状に張り出ている取り付け部１２３ｂとを有する。このクランパ支持部材１２３は、取り付け部１２３ｂをカバー部材４１の天板部４１ａの下面に固定されて取り付けてある。クランパ支持部材１２３は、図４に示すように、後述するクランプ解除部材１３０との配置との関係で、開口１２３ｃがＸ２方向を向いた向きで取り付けてある。クランプ解除部材１３０のＵ字形状のフォーク部１３０ａが開口１２３ｃに対向している。
【００６７】
図１６（Ａ），（Ｂ）に示すように、ターンテーブル１４は、周囲のフランジ部１４ａと、中央の凸部１４ｂとを有する。中央凸部１４ｂは、周囲に傾斜面１４ｂ１を有し、円錐台形状である。中央凸部１４ｂは上面に、凹部１４ｂ２を有する。この凹部１４ｂ２内に、円板状のバックヨーク１２４と、厚さ方向に着磁してある円板状の永久磁石１２５が、モータ１６のスピンドル１６ａに嵌合して組み込まれている。
【００６８】
最初の状態では、クランプ機構２８は、図１６（Ａ），（Ｂ）に示す状態にある。クランプ解除部材１３０は、クランパ支持部材１２３内に嵌合している。クランパ１５は、クランパ支持部材１２３とクランプ解除部材１３０のＵ字形状のフォーク部１３０ａとによって囲まれてクランパ支持部材１２３からの抜け出しを制限され、且つ、フランジ部１２１ｂがフォーク部１３０ａに載ってＺ１方向に変位した状態で支持されている。ターンテーブル１４は下降した位置に位置している。
【００６９】
後述するように、ディスク１１が装置の内部に押し込まれて、第１のスライドプレート７０と第２のスライドプレート１１０とが摺動すると、クランプ解除部材１３０が時計方向に図４中二点鎖線で示すように回動して、クランパ支持部材１２３から抜け出すと共に、ターンテーブル１４がＺ１方向に上昇する。
【００７０】
ターンテーブル１４がＺ１方向に上昇したときに、中央凸部１６ｂがディスク１１の中心孔１１ｂに嵌合してディスク１１を位置決めし、フランジ部１６ａがディスク１１の下面のうち中心孔１１ｂの周囲の部分を支持する。クランプ解除部材１３０がクランパ支持部材１２３から抜け出すと、クランパ１５はフォーク部１３０ａによる支持を解除されて、Ｚ２方向に変位し、鉄板部材１２２が永久磁石１２５に吸引されて、図２４に示すように、クランパ１５がターンテーブル１４に磁気的に吸着され、クランパ１５がディスク１１の上面１１ｄのうち中心孔１１ｂの周囲の部分を押し付けて、ディスク１１がターンテーブル１４上にクランプされる。なお、永久磁石１２５と鉄板部材１２２との間には、隙間１２７が存在している。
【００７１】
ここで、クランプ機構２８は、図１６（Ａ），（Ｂ）に示すクランプ前の状態で、
ディスク１１がクランプされる前の状態で、永久磁石１２５の磁力が鉄板部材１２２に、鉄板部材１２２を永久磁石１２５の真上の位置に引き寄せる強さで作用するようにしてある。よって、クランパ１５はターンテーブル１４の真上の位置に引き寄せられてセンタリングされている。このため、上記のディスク１１をターンテーブル１４上にクランプするときに、クランパ１５の凹部１２１ｃのターンテーブル１４の中央凸部１４ｂへの嵌合が円滑且つ確実になされ、ディスク１１のターンテーブル１４上へのクランプが確実になされる。
【００７２】
〔クランプ解除機構２９〕
図２、図４、図１５、図１６（Ａ），（Ｂ）に示すように、クランプ機構２８は、クランプ解除部材１３０と、第２のスライドプレート１１０とを有する構成である。
【００７３】
クランプ解除部材１３０は、一端側にＵ字形状のフォーク部１３０ａを有し、他端にＺ２方向に折り曲げたラグ部１３０ｂを有する。フォーク部１３０ａは、クランパ支持部材１２３の内側に横方向から入り込むサイズを有し、且つ、入り込み易くすべく、図１６（Ａ）に示すように、楔形状の先端部１３０ａ１、１３０ａ２を有する。
【００７４】
このクランプ解除部材１３０は、中央よりラグ部１３０ｂに寄った位置の穴１３０ｃをカバー部材４１の天板部４１ａにかしめられた頭付きのピン１３１によって支持されて、且つ、フォーク部１３０ａの縁１３０ａ３を天板部４１ａの受け部４１ａ５に支持されて、天板部４１ａの下面に支持されている。ラグ部１３０ｂは、第２のスライドプレート１１０の一対のラグ１１０ｇ，１１０ｈの間に係合してある。よって、クランプ解除部材１３０は、第２のスライドプレート１１０のＸ方向の移動に応じて、天板部４１ａの下面側を天板部４１ａと平行に回動される。フォーク部１３０ａは、クランパ支持部材１２３よりＸ２側に位置している。
【００７５】
図２４に示すように、ディスク１１がクランパ１５によってターンテーブル１４上に磁力によってクランプされている状態において、ディスク１１をイジェクトする指令が入力されると、第２のスライドプレート１１０がＸ２方向に移動し、クランプ解除部材１３０が反時計方向に回動して、フォーク部１３０ａがクランパ支持部材１２３内に入り込んで、内側フランジ部１２３ａとフランジ部１２１ｂの隙間に入り込んでフランジ部１２１ｂを押し上げ、クランパ１５はターンテーブル１４との磁気的吸着を解除されターンテーブル１４から離され、ディスク１１のクランプが解除される。
【００７６】
クランパ支持部材１２３がカバー部材４１の天板部４１ａの下面に固定してあり、クランプ解除部材１３０が天板部４１ａの下面をこれと平行に動く構成であるため、クランプ解除機構２９は薄型の構造となっている。
【００７７】
〔ディスク中心孔引っ掛け支持機構３０〕
図２、図４、図１７、図１８（Ａ），（Ｂ）に示すように、ディスク中心孔引っ掛け支持機構３０は、フック部材１４０と、Ｕ字形状の板ばね部材１４１と、Ｘ１側ディスク支持・ガイド部材９０の一部とを有する構成であり、カバー部材４１の天板部４１ａの下面に設けてある。
【００７８】
フック部材１４０は、一端にディスク中心孔１１ｂを引っ掛けるためのフック部１４０ａを有し、他端に腕部１４０ｂを有し、途中に両側に突き出した軸部１４０ｃ、１４０ｄを有する。フック部材１４０の上面には、Ｕ字形状の板ばね部材１４１の一端部１４１ａが固定してある。
【００７９】
フック部材１４０は、軸部１４０ｃ、１４０ｄを天板部４１ａに切り起こして形成してある軸受け部４１ａ６、４１ａ７に支持されて、且つ板ばね部材１４１の他端部１４１ｂが天板部４１ａの下面に当接してＵ字形状の板ばね部材１４１がつぶれる方向に弾性変形された状態で、天板部４１ａの下面に取り付けてある。軸部１４０ｃ、１４０ｄはＸ方向に向いており、フック部材１４０はＹ方向に向いており、フック部１４０ａはＹ２方向側に位置して下向きである。
【００８０】
フック部材１４０のＹ２方向側の腕部１４０ｂは、Ｘ１側ディスク支持・ガイド部材９０の腕部９０ｄの下面に当接している。腕部９０ｄには、Ｚ２方向に突き出した段部９０ｇが形成してある。
【００８１】
最初の状態では、段部９０ｆが腕部１４０ｂに当たっており、フック部材１４０は、図１８（Ａ）に示すように、略水平の状態にあり、フック部１４０ａはＺ１方向に上がっており、ディスク１１の移動する通路より上方に退避している。Ｘ１側ディスク支持・ガイド部材９０がＸ１方向に移動すると、段部９０ｆが腕部１４０ｂから外れて、フック部材１４０は、図１８（Ｂ）に示すように、板ばね部材１４１によって軸部１４０ｃを中心に反時計方向に回動して傾斜し、フック部１４０ａはＺ２方向に下がって、ディスク１１の移動する通路内に進入して、ディスク中心孔１１ｂを引っ掛けることが可能である状態となる。
【００８２】
以上が、ディスクローディング装置１０の各機構の構成である。
【００８３】
次に、ディスク１１をローディングするときの上記各機構の動作について説明する。
【００８４】
ディスク１１をローディングする以前の状態では、上記各機構は、図３、図４、図１２、図１３、図１６（Ａ），（Ｂ）、図１８（Ａ）に示す状態にある。ディスク支持・ガイド機構２５は、図４、図５及び図１９（Ｇ）に示すように、ディスク支持・ガイド部材９０、９１が中心線ＣＬ側に近づいており、Ｘ方向の幅がＷ１である「狭」の状態にある。幅Ｗ１は、ディスク１１の直径Ｄより小さい。
【００８５】
図１９（Ａ）乃至（Ｋ）は、各部材の動作を対応させて示す。
【００８６】
操作者がケースより取り出した裸のディスク１１をその記録面１１ａを下向きとした水平の姿勢で、図１９（Ｋ）に示すように、フロントベゼル１２のディスク挿入用スロット１３内に半分以上挿入する操作を行う（ｔ０−ｔ６）。図１９（Ｋ）中、破線は手動による移動を示し、実線は機構による移動を示す。
【００８７】
この操作によって、図４に示すように、ディスク１１のＹ１側の約４分の１が「狭」の状態にあるディスク支持・ガイド機構２５の空間９５内に入り、ｔ１で、周縁１１ｃがディスク支持・ガイド部材９０、９１の側板部９０ａ、９１ａのＹ２方向端の縁９０ａ１、９１ａ１に当接する。ここで、ディスク支持・ガイド部材９０、９１はＸ方向上中心線ＣＬに関して左右対称の位置にあるため、ディスク１１はＸ方向上の位置を、中心孔１１ｂの中心が中心線ＣＬと一致するように定められる。ディスク支持・ガイド部材９０、９１は、連動して互いに逆方向に同じ距離移動し、Ｘ方向上中心線ＣＬに関して左右対称な関係を常に維持する構成であるため、ディスク１１の中心孔１１ｂの中心が中心線ＣＬと一致する状態は、ディスク１１がディスク支持・ガイド機構２５の空間９５内に更に入った後も維持される。
【００８８】
ディスク１１が更に押し込まれると、周縁１１ｃによって押されてディスク支持・ガイド部材９０、９１が左右に互いに離れる方向に移動され、ディスク１１は空間９５をＸ方向に広げつつ空間９５内に進入する。
【００８９】
ディスク支持・ガイド部材９１がＸ２方向に移動するとき（ｔ１−ｔ５間）、ピン７１ｆが相対的にスリット９１ｇのスリット部９１ｇ１内をＸ１方向に移動する。
【００９０】
ディスク１１の半分が空間９５内に進入すると、周縁１１ｃのうちディスク１１の直径Ｄの端の部分が側板部９０ａ、９１ａの内面と接触する状態となる。空間９５のＸ方向の幅は、ディスク１１の直径Ｄと等しいＷ２となる。ディスク１１は水平の姿勢に支持される。以後は、ディスク１１は、周縁１１ｃのうちディスク１１のＸ方向直径の端の部分が側板部９０ａ、９１ａの内面によってガイドされて、ディスク１１の中心孔１１ｂの中心が中心線ＣＬと一致する状態を維持しつつ、Ｙ１方向に移動する。
【００９１】
なお、ディスク１１のＹ１側は、図２２に示すように、クランパ１５とターンテーブル１４との間を通ってＹ１に移動する。
【００９２】
ここで、ディスク支持・ガイド部材９０、９１のディスク支持面９０ｃ１、９１ｃ１が傾斜しているため、図５及び図８（Ａ）に示すように、ディスク１１は記録面１１ａのうち周縁１１ｃに臨む縁の箇所１１ａ１がディスク支持面９０ｃ１、９１ｃ１と接触し、記録面１１ａはディスク支持面９０ｃ１、９１ｃ１から浮いて離れている状態となっている。これによって、ディスク１１がディスク支持・ガイド機構２５の空間９５内に入いる過程、及び後述するディスク１１がディスク支持・ガイド機構２５の空間９５から出る過程で、ディスク１１の記録面１１ａは擦られず、よって傷められず、保護される。
【００９３】
なお、ディスク挿入用スロット１３は扁平な逆台形を有しており、ディスク１１がスロット１３を通るときにも、記録面１１ａが擦られないようになっている。
【００９４】
第２には、ディスク支持・ガイド部材９０、９１が左右に互いに離れる方向に移動されると、段部９０ｆが腕部１４０ｂから外れて、フック部材１４０は、図１８（Ｂ）に示すように傾斜可能となる。図１９（Ｈ）のｔ２−ｔ４間に示すように、フック部１４０ａはディスク１１の中心孔１１ｂ内に一旦入り込み、中心孔１１ｂの反対側の縁の近傍の部分で押し上げられる。
【００９５】
第３には、図２０に示すように、挿入されたディスク１１の周縁１１ｃがピン８０ｃを押して、第1のアーム８０がトーションコイルバネ８１をねじりつつ反時計方向に回動されて、図１９（Ａ）に示すようにスイッチＳＷ２がオンとされ、モータ２１が始動される。ここで、第1のアーム８０にはオイルダンパ８２が連結してあるため、オイルダンパ８２が効いて、ディスク１１の挿入は適当に重い感触でゆっくり行われる。
【００９６】
以後、ディスクローディング装置１０の各機構は主にモータ２１によって動作される。
【００９７】
モータ２１の回転が減速ギヤ機構２２を介してプレート機構２３に伝達され、クランク形状のスリット７１ｃとこれに嵌合しているピン７０ｄとによって、図１９（Ｆ）、（Ｄ）に示すように、最初にローディングプレート７１がｔ６−ｔ７間でＹ１方向に摺動し、その後一時的に停止し、この停止している間（ｔ７−ｔ８間）に第１のスライドプレート７０がＸ２方向に摺動して停止し、第１のスライドプレート７０が停止した後に、ｔ８−ｔ９間でローディングプレート７１が再度Ｙ１方向に摺動する。
【００９８】
ローディングプレート７１及び第１のスライドプレート７０の摺動によって、ディスク押し込み・押し出し機構２４、ディスク支持・ガイド機構２５、ターンテーブル・光学ピックアップユニット昇降機構２７、クランプ機構２８、クランプ解除機構２９、ディスク引っ掛け支持機構３０が所定のタイミングで動作される。
【００９９】
ローディングプレート７１の最初の摺動によって行われる動作（ｔ６−ｔ７）：
第1には、ディスク押し込み・押し出し機構２４の第１のアーム８０がラグ部７１ｅによって押されて、図１９（Ｉ）及び図２１（Ａ）に示すように反時計（ＣＣＷ）方向に回動され、ピン８０ｃがＹ１方向に後退する。
【０１００】
第２には、第２のアーム８３がピン状凸部８３ｂをスリット７１ｄのスリット部７１ｄ１に案内されて、図１９（Ｊ）及び図２１（Ａ）に示すように反時計（ＣＣＷ）方向に回動され、凸部８３ａが途中まで挿入されたディスク１１のＹ２方向側の周縁１１ｃを押して、ディスク１１をディスクローディング装置１０内に完全に押し込む。ディスク１１は、中心孔１１ｂがターンテーブル１４の真上に位置する、図２２に示す状態となる。
【０１０１】
なお、ピン７１ｆは、スリット９１ｇのスリット部９１ｇ２内をＹ１方向に移動する。ピン７０ｄは、相対的にスリット７１ｃのスリット部７１ｃ１内をＹ２方向に移動する。
【０１０２】
第１のスライドプレート７０のＸ２方向の摺動によって行われる動作（ｔ７−ｔ８）：
第１のスライドプレート７０がＸ２方向に摺動すると、連結レバー１１３を介して第２のスライドプレート１１０が図１９（Ｅ）に示すようにＸ１方向に摺動され、ターンテーブル・光学ピックアップユニット昇降機構２７が図１９（Ｂ）に示すようにＺ１方向に上昇される。これによって、ターンテーブル１４の中央の凸部１４ｂがディスク１１の中心孔１１ｂに嵌合し、フランジ部１４ａがディスク１１を支持する。また、光学ピックアップ１７がディスク１１の記録面１１ａに接近する。また、ピン７０ｄは、スリット７１ｃのスリット部７１ｃ２内をＸ２方向に移動する。
【０１０３】
また、第２のスライドプレート１１０のＸ１方向に摺動によって、図２３（Ｂ）に示すようにクランプ解除部材１３０が時計（ＣＷ）方向に回動され、フォーク部１３０ａがクランパ支持部材１２３より抜け出し、クランパ１５は図１９（Ｃ）に示すように係止を解除される。係止を解除されたクランパ１５は永久磁石１２５によってターンテーブル１４に磁気的に吸着され、ディスク１１が図２４に示すようにターンテーブル１４上にクランプされる。
【０１０４】
ローディングプレート７１の再度の摺動によって行われる動作（ｔ８−ｔ９）：
第１には、ディスク押し込み・押し出し機構２４の第１のアーム８０がラグ部７１ｅによって更に押されて、図１９（Ｉ）及び図２５（Ａ）に示すように反時計（ＣＣＷ）方向に回動され、ピン８０ｃがＸ２方向に変位してディスク１１の周縁１１ｃから離れる。
【０１０５】
第２には、第２のアーム８３がピン状凸部８３ｂをスリット７１ｄの端部のＹ方向スリット部７１ｄ２に案内されて、図１９（Ｊ）及び図２５（Ａ）に示すように時計方向に少し回動され、凸部８３ａが略Ｘ２方向に変位してディスク１１の周縁１１ｃから離れる。
【０１０６】
第３には、ピン７１ｆがスリット部９０ｇ３内に入り、図１９（Ｇ）及び図２５（Ｂ）に示すように、ディスク支持・ガイド部材９１がＸ２方向に少し移動され、ディスク支持・ガイド部材９０がＸ１方向に少し移動され、ディスク支持・ガイド機構２５は「広」の状態となる。空間９５のＸ方向の幅は、ディスク１１の直径Ｄより大きいＷ２となる。これにより、図８（Ｂ）に併せて示すように、ディスク支持・ガイド部材９０、９１の側板部９０ａ、９１ａの内面がディスク１１の周縁１１ｃから離れる。また、ディスク支持面９０ｃ１、９１ｃ１が傾斜しているため、ディスク支持・ガイド部材９０、９１が互いに離れる方向に移動することによって、ディスク支持面９０ｃ１、９１ｃ１がディスク１１の周縁１１ｃの下端、即ち前記の記録面１１ａの縁の箇所１１ａ１から離れる。図８（Ｂ）中、１５０、１５１は、上記の縁の箇所１１ａ１とディスク支持面９０ｃ１、９１ｃ１との間に形成された隙間である。
【０１０７】
上記の第１、第２、第３の動作によって、ディスク１１は周縁１１ｃに対する拘束から解放され、自由に回転する状態となり、ディスクローディング装置１０にローディングされた状態となる。このときまでにスイッチＳＷ１が所定回数オンオフを繰り返しており、モータ２１が停止する。
【０１０８】
続いて、ターンテーブル・光学ピックアップユニット２６が動作し、ディスク１１が回転されて、光学ピックアップ１７によって再生される（ｔ１０−ｔ１１）。
【０１０９】
次に、ディスク１１をアンローディングするときの各機構の動作について説明する。
【０１１０】
再生終了後にイジェクト操作を行うと、モータ２１が始動して逆転し、図１９（Ｄ），（Ｆ）のｔ１２−ｔ１５間に示すように、プレート機構２３の第１のスライドプレート７０が上記のディスクローディング時とは逆の順序で且つ逆方向に動作する。
即ち、図１９（Ｆ）、（Ｄ）に示すように、最初にローディングプレート７１がｔ１２−ｔ１３間でＹ２方向に摺動し、その後一時的に停止し、この停止している間（ｔ１３−ｔ１４間）に第１のスライドプレート７０がＸ１方向に摺動して停止し、第１のスライドプレート７０が停止した後に、ｔ１４−ｔ１５間でローディングプレート７１が再度Ｙ２方向に摺動する。プレート機構２３は最初の状態に戻る。
【０１１１】
ローディングプレート７１の最初の摺動によって行われる動作（ｔ１２−ｔ１３）：
第２のアーム８３が、図１９（Ｊ）及び図２３（Ａ）に示すように反時計方向に少し回動され、凸部８３ａがディスク１１の周縁１１ｃに当接する。また、ラグ部７１ｅがＹ２方向へ移動し、トーションコイルバネ８２の復元力により、第１のアーム８０が、図１９（Ｉ）及び図２３（Ａ）に示すように時計方向に回動され、ピン８０ｃがディスク１１の周縁１１ｃに当接する。図１９（Ｇ）及び図２３（Ｂ）に示すように、ディスク支持・ガイド部材９０、９１が互いに近づく方向に移動して、側板部９０ａ、９１ａの内面がディスク１１の周縁１１ｃに当接する。これによって、ディスク１１の周縁１１ｃが拘束される。
【０１１２】
第１のスライドプレート７０のＸ１方向の摺動によって行われる動作（ｔ１３−ｔ１４）：
第１のスライドプレート７０がＸ１方向に摺動すると、連結レバー１１３を介して第２のスライドプレート１１０が図１９（Ｅ）に示すようにＸ２方向に摺動され、ターンテーブル・光学ピックアップユニット昇降機構２７が図１９（Ｂ）に示すようにＺ２方向に下降される。また、第２のスライドプレート１１０のＸ１方向に摺動によって、図２３（Ｂ）に示すようにクランプ解除部材１３０が反時計方向に回動され、フォーク部１３０ａがクランパ支持部材１２３内に入り込み、クランパ１５を図１９（Ｂ）に示すように永久磁石１２５による磁気的吸着力に抗して押し上げる。これによって、図２２に示すように、これによって、ターンテーブル１４の中央の凸部１６ｂがディスク１１の中心孔１１ｂから抜け出し、クランパ１５がターンテーブル１４から離されて、ディスク１１のクランプが解除される。
【０１１３】
ローディングプレート７１の再度の摺動によって行われる動作（ｔ１４−ｔ１５）：
第１には、第２のアーム８３がピン状凸部８３ｂをスリット７１ｄに案内されて、図１９（Ｊ）及び図２０に示すように時計方向に回動され、凸部８３ａは、ディスク１１の通路から退避する。
【０１１４】
第２には、ラグ部７１ｅがＹ２方向に移動することによって、第１のアーム８０がトーションコイルバネ８１によって時計方向に回動され、ピン８０ｃがディスク１１の周縁１１ｃを押して、ディスク１１がＹ２方向に移動されてフロントベゼル１２より外側に押し出されてイジェクトされる。ディスク１１は、ディスク支持・ガイド部材９０、９１の側板部９０ａ、９１ａの内面によって案内されつつ移動される。また、オイルダンパ８２が効いており、第１のアーム８０の回動はローディングプレート７１の摺動より遅れて低速で行われ、ディスク１１のイジェクトは低速で行われる。
【０１１５】
段部９０ｆが腕部１４０ｂから外れて、フック部材１４０は、図１８（Ｂ）に示すように傾斜可能な状態となっている。ディスク１１がＹ２方向に移動されて、中心孔１１ｂがフック部１４０ａに対向すると、ディスク引っ掛け支持機構３０が、図１９（Ｈ）のｔ１７−ｔ１８間に、図２６（Ａ），（Ｂ）に示すように動作し、フック部１４０ａがディスク１１の中心孔１１ｂ内に落ち込んで入り込み、フック部１４０ａが中心孔１１ｂの縁を係止する。よって、図２６（Ａ），（Ｂ）に示すように、ディスク１１が中心孔１１ｂの縁をフック部材１４０によって引っ掛けられて、Ｙ２方向の移動を停止され、ディスク１１の半分がフロントベゼル１２より外側に突き出した状態で、落ちない状態に支持された状態となる。図２６（Ａ），（Ｂ）は、アンローディングが完了した状態である。
【０１１６】
この状態で、操作者は手の指をディスク１１の中心孔１１ｂへ挿入して、ディスク１１を周縁１１ｃと中心孔１１ｂの縁とで把持して掴んで引く。これによって、フック部１４０ａがディスク１１の上面に載り上がって中心孔１１ｂから外れ、ディスク１１が取り出される。
【０１１７】
ディスク１１が取り出されると、ディスク支持・ガイド部材９０、９１はばね９６によって更に接近して、ディスク支持・ガイド機構２５は最初の「狭」の状態となり、その過程でフック部１４０ａがＺ１方向に上昇する。
【０１１８】
なお、本発明は上記実施例に限らず、カバー部材４１の天板部４１ａが縦向きであり、ターンテーブル・光学ピックアップユニット２６が縦向きでありＸ１、Ｘ２方向に移動する構造であり、ディスク１１が垂直の向きで挿入される構造であり、クランプ解除部材１３０がＸ−Ｚ面内で移動する構成とすることも可能である。
【０１１９】
【発明の効果】
以上説明したように、請求項１の発明は、クランパがディスクローディング装置筐体のカバー部材の内面に支持部材によって支持されている構造であり、且つクランプ解除部材が、板状であり、上記カバー部材の内面に、カバー部材と平行に移動可能に支持されており、クランプ解除部材移動機構によって、カバー部材と平行に移動される構造であるため、クランプ解除機構が平面的となり、アーム等の部材の方向がディスクローディング装置の天板に対して垂直の向きである従来のクランプ解除機構に比べて、ディスクローディング装置の薄型化を図ることが出来る。
【図面の簡単な説明】
【図１】本発明の一実施例のディスクローディング装置をその内部を透視して示す斜視図である。
【図２】図１のディスクローディング装置を分解して示す図である。
【図３】図１のディスクローディング装置のベース部材に取り付けてある機構を示す平面図である。
【図４】図１のディスクローディング装置のカバー部材の下面に取り付けてある機構を示す平面図である。
【図５】図１のディスクローディング装置の概略の正面図である。
【図６】図１のディスクローディング装置の概略の側面図である。
【図７】図１のディスクローディング装置の背面図である。
【図８】図１のディスクローディング装置の概略動作を説明するための装置の正面図である。
【図９】図１のディスクローディング装置の概略動作を説明するための装置の側面図である。
【図１０】ギヤ機構を示す図である。
【図１１】プレート機構を示す図である。
【図１２】ディスク押し込み・押し出し機構を示す図である。
【図１３】ディスク支持・ガイド機構を示す図である。
【図１４】ターンテーブル・光学ピックアップユニット及びユニット昇降機構を示す図である。
【図１５】クランプ機構及びクランプ解除機構を示す図である。
【図１６】クランプ解除状態のクランプ機構及びクランプ解除機構を示す図である。
【図１７】ディスク引っ掛け支持機構を示す分解斜視図である。
【図１８】ディスク引っ掛け支持機構を示す側面図である。
【図１９】ディスクローディング時及びディスクアンローディング時の各部品の動作を示すタイムチャートである。
【図２０】ディスクを挿入したときの状態を示す図である。
【図２１】ディスクが装置内に完全に押し込められたときの状態を挿入したときの状態を示す図である。
【図２２】図２１におけるディスクとクランパ及びターンテーブルとの位置関係を示す図である。
【図２３】ディスクをクランプした状態を示す図である。
【図２４】ディスクをクランプしている状態のクランプ機構を示す図である。
【図２５】ディスクのローディングが完了した状態を示す図である。
【図２６】ディスクのアンローディングが完了した状態を示す図である。
【符号の説明】
１０  ディスクローディング装置
１１  ディスク
１４  ターンテーブル
１７  光学ピックアップ
２０  筐体
２１  モータ
２２  減速ギヤ機構
２３  プレート機構
２４  ディスク押し込み・押し出し機構
２５  ディスク支持・ガイド機構
２６  ターンテーブル・光学ピックアップユニット
２７  ターンテーブル・光学ピックアップユニット昇降機構
２８  クランプ機構
２９  クランプ解除機構
３０  ディスク引っ掛け支持機構
４０  ベース部材
４１  カバー部材
５３  遊星ギヤ機構
７０  第１のスライドプレート
７０ｃ  ラック部
７１  ローディングプレート
８０  第１のアーム
８０ｃ  ピン
８２  オイルダンパ
８３  第２のアーム
８３ｃ  凸部
９０  Ｘ１側のディスク支持・ガイド部材
９１  Ｘ２側のディスク支持・ガイド部材
９０ａ，９１ａ  側板部
９０ｃ，９１ｃ  下側の板部
９０ｃ１、９１ｃ１  ディスク支持面
９２  ピニオン
１１０  第２のスライドプレート
１１０ｆ  ラック部１１０ｆ
１１３  連結レバー
１１３ｂ、１１３ｄ  ピニオン部
１２３  クランパ支持部材
１３０  クランプ解除部材
１３０ａ  フォーク部
１４０  フック部材
【図１】
0003755383.tif 000002
【図２】
0003755383.tif 000003
【図３】
0003755383.tif 000004
【図４】
0003755383.tif 000005
【図５】
0003755383.tif 000006
【図６】
0003755383.tif 000007
【図７】
0003755383.tif 000008
【図８】
0003755383.tif 000009
【図９】
0003755383.tif 000010
【図１０】
0003755383.tif 000011
【図１１】
0003755383.tif 000012
【図１２】
0003755383.tif 000013
【図１３】
0003755383.tif 000014
【図１４】
0003755383.tif 000015
【図１５】
0003755383.tif 000016
【図１６】
0003755383.tif 000017
【図１７】
0003755383.tif 000018
【図１８】
0003755383.tif 000019
【図１９】
0003755383.tif 000020
【図２０】
0003755383.tif 000021
【図２１】
0003755383.tif 000022
【図２２】
0003755383.tif 000023
【図２３】
0003755383.tif 000024
【図２４】
0003755383.tif 000025
【図２５】
0003755383.tif 000026
【図２６】
0003755383.tif 000027